(57)【特許請求の範囲】
【請求項１】
ボウルを備えた前パーツと後パーツとで便器を構成し、前記前パーツの上面の前記ボウルの上開口よりも後方位置に前記ボウルの前記上開口の後縁に沿う立上壁を一体に立ち上げ、前記後パーツに前記便器の後部に内装した便器付属装置の上側を覆う上カバーを備え、前記上カバーの前縁から垂下した前垂下片の下端部が前記立上壁の上端部の前側に重複すると共に、前記上カバーの側縁から垂下した側垂下片に、便蓋、便座の両方またはいずれか一方を回動自在に枢支する枢支部を備え、前後に重複する前記立上壁の上端部の前面と前記前垂下片の後面の少なくとも一方又は両方に縦リブを設け、前記前垂下片と立上壁とが線接触することを特徴とする便器装置。
【発明の詳細な説明】
【技術分野】
【０００１】
本発明は、ボウルを備えた前パーツと後パーツとで構成された便器装置に関するものである。
【背景技術】
【０００２】
従来から、ボウルを備えた前パーツと後パーツとで構成された便器装置が特許文献１等により知られている。
【０００３】
前パーツの上面には、ボウルの上開口よりも後方位置に上開口の後縁に沿うように立上壁を一体に立ち上げている。また、後パーツには、便器の後部に内装した便器付属装置の上側を覆う上カバーを備えている。この上カバーには、前縁から前パーツの立上壁の上端部の前側に重複する前垂下片を垂下すると共に、側縁から便蓋と便座を回動自在に枢支する枢支部を備えた側垂下片を垂下している。
【０００４】
前パーツは床に固着されるフレームの前部に固着具で固着し、後パーツの一構成要素である便器付属装置を設ける装置支持ケースをフレームの後部に固着具で固着し、後パーツの別の一構成要素である上カバーを装置支持ケースに固着具で固着している。
【０００５】
このように、前パーツ、後パーツは固着具で固着してないが、前垂下片を前パーツの立上壁の上端部の前側に重複することで、前垂下片と前パーツの立上壁との境から水が内部に浸入しないようにしてある。
【先行技術文献】
【特許文献】
【０００６】
【特許文献１】特開２００８−９５４５１号公報
【発明の概要】
【発明が解決しようとする課題】
【０００７】
しかし、上記従来例においては、前垂下片と立上壁とが重複部分において面接触していたので、着座動作や、便座、便蓋の回動動作などにより前垂下片と立上壁とが擦れ、異音が発生するおそれがある。
【０００８】
本発明は、上記の従来例の問題点に鑑みて発明したもので、その目的は、着座動作や、便座、便蓋の回動動作などによる異音の発生を抑制できる便器装置を提供するにある。
【課題を解決するための手段】
【０００９】
本発明の便器装置は、ボウルを備えた前パーツと後パーツとで便器を構成し、前記前パーツの上面の前記ボウルの上開口よりも後方位置に前記ボウルの前記上開口の後縁に沿う立上壁を一体に立ち上げ、前記後パーツに前記便器の後部に内装した便器付属装置の上側を覆う上カバーを備え、前記上カバーの前縁から垂下した前垂下片の下端部が前記立上壁の上端部の前側に重複すると共に、前記上カバーの側縁から垂下した側垂下片に、便蓋、便座の両方またはいずれか一方を回動自在に枢支する枢支部を備え、前後に重複する前記立上壁の上端部の前面と前記前垂下片の後面の少なくとも一方又は両方に縦リブを設け、前記前垂下片と立上壁とが線接触することを特徴とする。
【発明の効果】
【００１０】
本発明は、前後に重複する立上壁の上端部の前面と前垂下片の後面の少なくとも一方又は両方に縦リブを設け、前垂下片と立上壁とが線接触するので、前垂下片と立上壁とが動いて擦れても、接触面積が小さいため、擦れ音を軽減して異音の発生を抑制することが可能となる。
【図面の簡単な説明】
【００１１】
【図１】本発明の要部断面図である。
【図２】同上の立上壁に縦リブを設けた部分の平面図である。
【図３】同上の立上壁に縦リブを設けた部分の斜視図である。
【図４】同上の上カバーを装置支持ケースにねじ具で固定している部分を示す斜視図である。
【図５】本発明の全体の分解斜視図である。
【図６】同上の斜視図である。
【図７】同上の側面図である。
【発明を実施するための形態】
【００１２】
以下、本発明を添付図面に示す実施形態に基づいて説明する。
【００１３】
なお、以下の説明で「後」、「前」とは、便器４の便座に人が通常の使用状態で座った際に背面となる側を「後」、正面となる側を「前」と定義して説明する。
【００１４】
便器４は図５乃至図７に示すようなもので、ボウル１を備えた前パーツ２と後パーツ３と支持フレーム１３で構成し、前パーツ２及び後パーツ３は支持フレーム１３にそれぞれ独立して取付ける。
【００１５】
前パーツ２は、ボウル部１ａとボウル部１ａの上方に設けられるリム部１４と、ボウル部１ａとリム部１４で構成されるボウル１の外側を覆うスカート部１５とを備えており、これら合成樹脂製のボウル部１ａ、リム部１４、スカート部１５を溶着一体化することで前パーツ２を構成している。
【００１６】
ボウル１の上面であるリム部１４の上面の上開口５よりも後方位置に、上開口５の後縁に沿う立上壁６を一体に立ち上げている。また、リム部１４の上面の後部両端は後方に向けて突出していて、立上壁６の左右両端から後方に連続して側立壁３５が一体に立上っている。
【００１７】
立上壁６の上端部は前面側を凹ませて重複用凹み部１６となっており、重複用凹み部１６の後ろ側の壁部が重複片１７となっている。図１、２に示すように、重複片１７の前面には左右方向の複数個所に縦リブ２９を突出形成している。この縦リブ２９の上下長さは重複片１７の前面の上下方向にわたっている。
【００１８】
また、図２に示すように、側立壁３５の上端部は外側面を凹ませてあって側重複用凹み部３６となっており、側重複用凹み部３６の内側の壁部が側重複片３７となっている。側重複片３７の外側面の複数個所に縦リブ３８を突出形成している。
【００１９】
立上壁６の後面の重複片１７の下方側には被接触部を設けており、図１の実施形態では重複片１７の後面の下方部位から横リブ１２を後方に突出して被接触部を構成している。
【００２０】
前パーツ２は、床に設置して取付けられる支持フレーム１３の前部にボルトなどの固着具により取付ける。
【００２１】
後パーツ３は、図５に示すように、便器付属装置７を設けた装置支持ケース１８と、装置支持ケース１８、便器付属装置７の上方を覆う上カバー８と、上カバー８の後部の下方に配置される後カバー１９と、後カバー１９の上部両側の前方に配置される上側カバー２０と、後カバー１９の下部両側部の前方に配置される下側カバー２１とを備えている。装置支持ケース１８、上カバー８、後カバー１９、上側カバー２０、下側カバー２１は合成樹脂製である。
【００２２】
上カバー８は、前縁から垂下した前垂下片９と、両側縁から垂下した側垂下片１０と、後縁から垂下した後垂下片２２とを備えている。
【００２３】
図１に示すように、上カバー８下面の前垂下片９よりやや後方位置に固定部２３となるボスが下方に向けて突出しており、固定部２３の下端が前垂下片９より下方に位置している。
【００２４】
固定部２３の下端面部に接触部１１を構成する接触板１１ａをねじ具２４により取付けている。上カバー８下面の固定部２３を設けた部位の後方に突片２５が垂下してあり、図１に示すように接触板１１ａの後端が突片２５の前面に当接することで、ねじ具２４を中心に接触板１１ａが回転しないようになっている。このようにして、上カバー８の前端部の左右方向の複数個所に接触部１１を構成する接触板１１ａを取付ける。
【００２５】
また、図１に示すように、上カバー８の下面の前端部には、更に前垂下片９との間に隙間３２を隔ててずれ防止用垂下片３３が垂下してあり、このずれ防止用垂下片３３の下端は前垂下片９より上に位置し、隙間３２の前後方向の寸法は重複片１７の肉厚よりも長い。
【００２６】
側垂下片１０には便蓋２６、便座２７をそれぞれ回動自在に枢支するための枢支部２８を設けている。
【００２７】
なお、便蓋２６、便座２７を枢支する枢支部２８としては、上カバー８の下面部に回転装置を設けて、この回転装置の駆動力で便蓋２６、便座２７を回動するようにしてもよく、あるいは、手動で回動して開閉するものでもよい。
【００２８】
また、側垂下片１０に便蓋２６のみ、あるいは、便座２７のみを枢支する枢支部２８を備えてもよい。
【００２９】
装置支持ケース１８に設けられる便器付属装置７としては、温水洗浄装置、温風乾燥装置、脱臭装置等の便器４に付属する種々の装置、これらの装置を制御する制御部を挙げることができる。
【００３０】
装置支持ケース１８は支持フレーム１３の上部にボルトなどの固着具で取付けられる。
【００３１】
上カバー８は装置支持ケース１８及び便器付属装置７を覆うように装置支持ケース１８の上方に配置し、ねじ具３０を用いて図４のように装置支持ケース１８に取付けるか、又は、支持フレーム１３に取付ける。
【００３２】
上カバー８の取付けに当たっては、前垂下片９の下端部を前記立上壁６の上端部の重複用凹み部１６に位置させて、重複片１７の前面に重複させ、ねじ具３０で装置支持ケース１８に取付けるか、又は、支持フレーム１３に取付ける。
【００３３】
この上カバー８の取付け状態で、前垂下片９の後面と重複片１７の前面は、前垂下片９の後面が、重複片１７の前面の縦リブ２９に線接触した状態で前後に重複する。このように、前垂下片９の後面が、重複片１７の前面の縦リブ２９に線接触した状態で重複することで、重複部分における接触面積が小さくなる。
【００３４】
また、側垂下片１０の内側面と側重複片３７の外側面は、側垂下片１０の内側面が、側重複片３７の外側面の縦リブ３８に線接触した状態で左右に重複し、重複部分における接触面積を小さくする。
【００３５】
また、前垂下片９の下端部を重複片１７の前面に重ねた状態で、ずれ防止用垂下片３３の下端部が重複片１７の後面の上端部の後方に僅かな隙間を介して対向している。
【００３６】
これにより上カバー８を後方に動かそうとする外力が作用した場合、前垂下片９の下端部が重複片１７の前面に重複することで、後方への移動を防止し、上カバー８に前方に動かそうとする外力が作用した場合、ずれ防止用垂下片３３が重複片１７の後面の上端部に当たって前方への移動を防止する。
【００３７】
なお、後パーツ３の構成部材のうち後カバー１９、上側カバー２０、下側カバー２１は装置支持ケース１８に取付けるか、又は、支持フレーム１３に取付ける。
【００３８】
上記のような構成の便器装置は、使用しない時は、便座２７を倒し、便座２７をリム部１４の上面に載置し、更に、便蓋２６を倒して、ボウル１の上開口５と便座２７を覆う。
【００３９】
使用に当たっては、便蓋２６のみを回動して起立させたり、あるいは、便蓋２６、便座２７を回動して起立させる。
【００４０】
ここで、便座２７に対して着座動作をしたり、あるいは、便蓋２６、便座２７を回動動作などにより前垂下片９と立上壁６とが動いて擦れても、接触面積が小さいため、擦れ音を軽減して異音の発生を抑制することが可能となる。
【００４１】
また、側重複片３７の外側面と側垂下片１０の重複部分においても、側垂下片１０と縦リブ３８の内側面とが線接触して接触面積が小さいため、この部分における擦れ音を軽減できる。
【００４２】
なお、添付図面に示す実施形態においては、重複片１７の前面に縦リブ２９を設けて、縦リブ２９を前垂下片９の前面に線接触させた例を示したが、前垂下片９の後面に縦リブ２９を設けて、縦リブ２９を重複片１７の前面に接触させてもよい。また、重複片１７の前面と前垂下片９の後面にそれぞれ縦リブ２９を設け、重複片１７の前面に設けた縦リブ２９を前垂下片９の前面に線接触させると共に、前垂下片９の後面に設けた縦リブ２９を重複片１７の前面に接触させてもよい。
【００４３】
また、側垂下片１０の内側面に縦リブ３８を設けてもよく、更に、側重複片３７の外側面と側垂下片１０の内側面の両方に縦リブ３８を設けてもよい。
【００４４】
ところで、便蓋２６、便座２７を起立方向に回動したり、あるいは、起立した状態の便蓋２６や便座２７を図７の矢印のように後方に押すと、便蓋２６、便座２７を枢支している上カバー８の前端部が上方に浮き上がるような力が作用して、前垂下片９が重複片１７から外れるおそれがある。
【００４５】
しかし、便蓋２６、便座２７に後方に押す力が作用して上カバー８の前端部が浮き上がって上方に移動した場合、隙間３１の寸法以上移動しようとすると、接触板１１ａの前端部が横リブ１２に接触し、それ以上の上カバー８の上方への移動を防止し、前垂下片９が重複片１７から外れ難いようになっている。
【符号の説明】
【００４６】
１  ボウル
２  前パーツ
３  後パーツ
４  便器
５  上開口
６  立上壁
７  便器付属装置
８  上カバー
９  前垂下片
１０  側垂下片
２６  便蓋
２７  便座
２９  縦リブ
【図１】
0005427086.tif 000002
【図２】
0005427086.tif 000003
【図３】
0005427086.tif 000004
【図４】
0005427086.tif 000005
【図５】
0005427086.tif 000006
【図６】
0005427086.tif 000007
【図７】
0005427086.tif 000008